(57)【特許請求の範囲】
【請求項１】
透液性の表面シートと、裏面シートと、前記表面シートと前記裏面シートとの間に介装される吸収体と、を備え、装着時に、着用者の腹側に位置する腹側部と、背側に位置する背側部と、前記腹側部と前記背側部との間に位置する股下部と、を備える吸収性物品において、
前記吸収体にエンボス加工及び／又はデボス加工を施すことによって形成され、当該吸収体における所定量の体液が吸収されるエリアを区画する複数の区画部と、
前記区画部に対応付けて設けられ、視覚的変化によって前記吸収体により吸収された体液量を呈示する視覚提示部と、
を備え、
前記視覚呈示部は、前記吸収性物品における前記着用者と接触する側及び／又は前記着用者と接触する側の反対側から読み取り可能な目盛りと、前記吸収体に設けられ、前記体液との反応によって色変化を生じるインジケータと、を備え
前記吸収体は、吸収体コアと、当該吸収体コアを包装する吸水性の包装シートと、を備え、
前記包装シートは、前記吸収体コアの幅方向側縁部から延出して、前記吸収性物品の幅方向端部を構成する延出部を備え、
前記区画部は、前記吸収体コアに設けられ、
前記目盛りは、前記吸収性物品の幅方向端部に設けられ、
前記インジケータは、前記延出部に備えられていることを特徴とする吸収性物品。
【請求項２】
請求項１に記載の吸収性物品において、
前記区画部は、所定の排泄位置に排泄された体液が前記吸収体中で拡散する際の拡散傾向に基づいて配置されていることを特徴とする吸収性物品。
【発明の詳細な説明】
【技術分野】
【０００１】
本発明は、吸収性物品に関する。
【背景技術】
【０００２】
従来、吸収性物品として、水分と接触すると視覚的に変化する親水性の組成物を、腹側部から背側部に亘り長手方向に沿って備えることで、排尿による交換時期を知らせることができる使い捨ておむつが知られている（例えば、特許文献１参照）。
また、着用者の皮膚により感知される温度変化を起こして尿などの排泄物の排泄が発生したことを着用者に合図する温度変化要素を、腹側部から背側部に亘り長手方向に沿って備える使い捨ておむつも知られている（例えば、特許文献２参照）。
【先行技術文献】
【特許文献】
【０００３】
【特許文献１】特開２００４−３３７３８６号公報
【特許文献２】特表２００４−５２５７３０号公報
【発明の概要】
【発明が解決しようとする課題】
【０００４】
しかしながら、特許文献１や２に記載の吸収性物品のように、水分と接触すると視覚的に変化する親水性の組成物や温度変化要素を、腹側部から背側部に亘り長手方向に沿って具備するだけでは、吸収体により吸収された体液量を正確に把握させることができないという問題があった。
【０００５】
本発明の課題は、吸収体により吸収された体液量を正確に把握させることができる吸収性物品を提供することにある。
【課題を解決するための手段】
【０００６】
上記課題を解決するために、請求項１に記載の発明は、
透液性の表面シートと、裏面シートと、前記表面シートと前記裏面シートとの間に介装される吸収体と、を備え、装着時に、着用者の腹側に位置する腹側部と、背側に位置する背側部と、前記腹側部と前記背側部との間に位置する股下部と、を備える吸収性物品において、
前記吸収体にエンボス加工及び／又はデボス加工を施すことによって形成され、当該吸収体における所定量の体液が吸収されるエリアを区画する複数の区画部と、
前記区画部に対応付けて設けられ、視覚的変化によって前記吸収体により吸収された体液量を呈示する視覚提示部と、
を備え、
前記視覚呈示部は、前記吸収性物品における前記着用者と接触する側及び／又は前記着用者と接触する側の反対側から読み取り可能な目盛りと、前記吸収体に設けられ、前記体液との反応によって色変化を生じるインジケータと、を備え
前記吸収体は、吸収体コアと、当該吸収体コアを包装する吸水性の包装シートと、を備え、
前記包装シートは、前記吸収体コアの幅方向側縁部から延出して、前記吸収性物品の幅方向端部を構成する延出部を備え、
前記区画部は、前記吸収体コアに設けられ、
前記目盛りは、前記吸収性物品の幅方向端部に設けられ、
前記インジケータは、前記延出部に備えられていることを特徴とする。
【０００７】
請求項２に記載の発明は、
請求項１に記載の吸収性物品において、
前記区画部は、所定の排泄位置に排泄された体液が前記吸収体中で拡散する際の拡散傾向に基づいて配置されていることを特徴とする。
【発明の効果】
【００１５】
本発明によれば、吸収性物品は、吸収体にエンボス加工及び／又はデボス加工を施すことにより形成された複数の区画部に対応付けて設けられた呈示部によって、吸収体により吸収された体液量を呈示できるため、吸収体により吸収された体液量を正確に把握させることができる。
【図面の簡単な説明】
【００１６】
【図１】本実施形態の吸収性物品の装着時の状態の一例を示す斜視図である。
【図２】本実施形態の吸収性物品の下側の一例を示す平面展開図である。
【図３】本実施形態の吸収性物品の上側の一例を示す平面展開図である。
【図４】本実施形態の吸収性物品が備える吸収体の上側の一例を示す平面展開図である。
【図５】本実施形態の吸収性物品が備える吸収体の下側の一例を示す平面展開図である。
【図６】図３のＶＩ−ＶＩ部の一例を示す断面図である。
【図７】本実施形態の吸収性物品が備える視覚呈示部を説明するための図である。
【図８】変形例１の吸収性物品の一例を示す断面図である。
【図９】変形例１の吸収性物品の他の一例を示す断面図である。
【図１０】変形例２の吸収性物品が備える吸収体の上側の一例を示す平面展開図である。
【図１１】変形例３の吸収性物品が備える吸収体の上側の一例を示す平面展開図である。
【発明を実施するための形態】
【００１７】
以下、図を参照して、本発明の実施の形態を詳細に説明する。ただし、発明の範囲は、図示例に限定されない。
【００１８】
なお、以下の説明では、本実施形態における吸収性物品１を展開した状態において、装着時に人体（着用者）の腹側に位置する側を前側、背側に位置する側を後側、着用者と接触する側を上側、着用者と接触する側の反対側を下側とし、前後方向と上下方向との双方に直交する方向を左右方向とする。
【００１９】
吸収性物品１は、おむつやおむつカバー、パンツなどの人体に装着される外装体（図示省略）に着脱・交換自在に取り付けられて使用される吸収パッドである。
【００２０】
吸収性物品１は、装着時に着用者の股部を腹側から背側にかけて覆うように形成されている。
具体的には、例えば、図１〜図６に示すように、吸収性物品１の一方の端部（前端部）が装着時に着用者の腹側に位置する腹側部１１を形成し、他方の端部（後端部）が装着時に着用者の背側に位置する背側部１２を形成し、腹側部１１と背側部１２との間が着用者の股下に位置する股下部１３を形成する。
背側部１２は、前後方向の長さが腹側部１１よりも長く形成されており、かつ、左右方向の長さが腹側部１１や股下部１３よりも長く形成されている。これにより、背側部１２によって着用者の背側を広く覆うことができるようになっている。
また、股下部１３の両縁部は、腹側部１１から背側部１２に亘って、装着時に着用者の脚周りに位置する二つの脚周り部１４を形成する。この脚周り部１４，１４には、糸ゴム等の平面ギャザー用弾性部材１４１がそれぞれ設けられ、この平面ギャザー用弾性部材１４１により平面ギャザーが形成されている。これにより、着用者の脚周りに伸縮自在にフィットするため、横漏れを抑制できるとともに、着用者の身体の動きに追従し易く吸収性物品１がズレ難くなっている。また、当該平面ギャザーによって、吸収性物品１が自然に湾曲するため、立体ギャザー（後述）を着用者の股下により密着させることができるようになっている。
【００２１】
吸収性物品１は、装着時に着用者との接触面側（上側）に設けられる透液性の表面シート２０と、装着時に着用者との接触面と反対側（下側）に設けられる不透液性の裏面シート３０と、表面シート２０と裏面シート３０との間に介装される吸収体５０と、表面シート２０側の吸収体５０の幅方向両側縁部（左側縁部及び右側縁部）に、吸収性物品１の長手方向（前後方向）に沿って備えられたギャザーシート４０，４０と、により主に構成される。
【００２２】
表面シート２０は、吸収性物品１を装着した際に着用者に接する面を形成し、吸収体５０の上側に設けられ、体液を受けて、吸収体５０まで輸送する役割を果たす、透液性のシートである。
透液性シートとしては、例えば、ナイロン、ポリエチレンテレフタレート等の糸を平織り等したネット状のシート素材、多数の透孔を形成したフィルムシート材、ポリエチレンやポリプロピレンなどのフィルムシート材、透液性を有する織布、不織布が適し、特に不織布が適する。不織布としては、ポリエチレンやポリプロピレンなどのオレフィン系、ポリエチレンテレフタレートなどのポリエステル系、ポリアミド系等の合成繊維、レーヨンやキュプラなどの再生セルロース繊維等の再生繊維、綿などの天然セルロース繊維等の天然繊維を繊維素材として、スパンレース、エアスルー、ポイントボンド、エアレイド、スパンボンド、ニードルパンチ等の周知の技術により製造されたものを用い得る。
【００２３】
裏面シート３０は、吸収体５０の下側に設けられ、体液等の吸収性物品１外部への染み出し、漏れ出しを防ぐ役割を果たす、不透液性のシートである。
不透液性シートとしては、例えば、ポリエチレンやポリプロピレンなどの少なくとも遮水性を有するシート材であって、ムレ防止の観点から透湿性を有するシート材であることが好ましい。この遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材が好適に用いられる。
またその他にも、不透液性を有するフィルム層と、通気性を有する不織布層と、からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
【００２４】
ギャザーシート４０，４０は、表面シート２０側において、吸収体５０の長手方向に沿った両側縁部に、腹側部１１から背側部１２に亘ってそれぞれ備えられている。
このギャザーシート４０，４０の幅方向（左右方向）外側の部分は、吸収体５０の側方で表面シート２０及び延出部５１１，５１１（後述）の上面に固着されている。また、このギャザーシート４０，４０の幅方向内側の部分は、表面シート２０及び延出部５１１，５１１に固定されておらず、その長手方向（前後方向）に沿って糸ゴム等の立体ギャザー用弾性部材４０１が備えられており、起立して着用者の体型に合わせて伸縮自在に変形可能な一対の立体ギャザーが形成されている。
【００２５】
吸収体５０は、腹側部１１から股下部１３を通り背側部１２に亘る位置に配置された、吸収性物品１の使用時に体液としての尿等の水様成分を吸収する役割を果たすものである。
具体的には、吸収体５０は、例えば、図４〜図６に示すように、綿やパルプなどの吸収性素材や、繊維或いはフィルム等のシート状基材と高吸収性ポリマーのような高吸水性樹脂とが組み合わされて形成された吸収体コア５２と、吸収体コア５２を包装する吸水性の包装シートとしてのクレープ紙５１と、を備えて構成されている。ここで、図４及び図５においては、クレープ紙５１の外形を仮想線（二点鎖線）で表している。
高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
【００２６】
吸収体コア５２は、吸収体コア５２における背側部１２の左右方向の長さが、吸収体コア５２における腹側部１１や股下部１３よりも長くなるよう形成されている。
そして、吸収体コア５２には、例えば、図４に示すように、吸収体５０（吸収体コア５２）における所定量の体液が吸収されるエリアを区画する複数の区画部６０（第１区画部６１〜第５区画部６５）が設けられている。
【００２７】
区画部６０は、吸収体コア５２における所定の略楕円形状領域を囲むように形成されており、吸収性物品１における所定の排泄位置に排泄された体液が吸収体５０（吸収体コア５２）中で拡散する際の拡散傾向に基づいて配置されている。
具体的には、第１区画部６１は、例えば、吸収性物品１における所定の排泄位置に約５０ｃｃの体液が排泄された際の拡散傾向に基づく位置であり、かつ、当該第１区画部６１で囲まれた部分の吸収容量が約５０ｃｃとなる部分に配置されている。
また、第２区画部６２は、例えば、吸収性物品１における所定の排泄位置に約１００ｃｃの体液が排泄された際の拡散傾向に基づく位置であり、かつ、当該第２区画部６２で囲まれた部分（第１区画部６１で囲まれた部分を含む）の吸収容量が約１００ｃｃとなる部分に配置されている。
また、第３区画部６３は、例えば、吸収性物品１における所定の排泄位置に約２００ｃｃの体液が排泄された際の拡散傾向に基づく位置であり、かつ、当該第３区画部６３で囲まれた部分（第２区画部６２で囲まれた部分を含む）の吸収容量が約２００ｃｃとなる部分に配置されている。
また、第４区画部６４は、例えば、吸収性物品１における所定の排泄位置に約３００ｃｃの体液が排泄された際の拡散傾向に基づく位置であり、かつ、当該第４区画部６４で囲まれた部分（第３区画部６３で囲まれた部分を含む）の吸収容量が約３００ｃｃとなる部分に配置されている。
また、第５区画部６５は、例えば、吸収性物品１における所定の排泄位置に約４００ｃｃの体液が排泄された際の拡散傾向に基づく位置であり、かつ、当該第５区画部６５で囲まれた部分（第４区画部６４で囲まれた部分を含む）の吸収容量が約４００ｃｃとなる部分に配置されている。
ここで、一の区画部６０で囲まれた部分の吸収容量とは、予め設定された吸収性物品１全体の吸収容量（吸収許容量）と、吸収体コア５２全体の体積に対する当該一の区画部６０で囲まれた部分の体積と、等に基づいて算出された量である。
【００２８】
区画部６０は、例えば、吸収体５０（吸収体コア５２）の上部にエンボス加工を施すことによって形成されている。したがって、吸収体コア５２における区画部６０が形成された部分は、その他の部分よりも、密度が高く、体液が拡散しにくいため、吸収体コア５２における一の区画部６０で囲まれた部分に吸収された体液は、当該一の区画部６０の外側に拡散しにくくなっている。すなわち、区画部６０は、体液をせき止めるせき止め効果を有しており、一の区画部６０で囲まれた部分に吸収された体液量が当該一の区画部６０で囲まれた部分の吸収容量に達しないと、当該一の区画部６０で囲まれた部分に吸収された体液は、当該一の区画部６０の外側に拡散しにくくなっている。
エンボス加工としては、例えば、加圧のみのエンボス加工、ヒートエンボス加工、超音波エンボス加工、或いはこれらの組み合わせが挙げられるが、これらに限られるものではない。
【００２９】
また、吸収体コア５２には、例えば、図５に示すように、接触冷感を生じることによって吸収体５０（吸収体コア５２）により吸収された体液量を呈示する下面冷感呈示部７０（第１下面冷感呈示部７１〜第５下面冷感呈示部７５）が設けられている。
下面冷感呈示部７０は、吸収体５０（吸収体コア５２）の裏面シート３０側の面（下面）に股下部１３から背側部１２に亘って、区画部６０と対応付けて所定の間隔で配置されている。これにより、着用者や着用者を世話する者は、吸収性物品１の下面を触り、冷たくなっている部分を探すだけで、当該吸収性物品１が備える吸収体５０により吸収された体液量を把握できるため、吸収性物品１を装着した状態で、暗闇の中でも、吸収された体液量を把握することができる。
【００３０】
具体的には、第１下面冷感呈示部７１は、例えば、第１区画部６１で囲まれた部分全体が体液を吸収すると接触冷感が生じるよう、当該第１区画部６１で囲まれた部分の後端部と重なる位置に、吸収体コア５２の幅方向に沿ってライン状に配置されている。
また、第２下面冷感呈示部７２は、例えば、第２区画部６２で囲まれた部分全体が体液を吸収すると接触冷感が生じるよう、当該第２区画部６２で囲まれた部分の後端部と重なる位置に、吸収体コア５２の幅方向に沿ってライン状に配置されている。
また、第３下面冷感呈示部７３は、例えば、第３区画部６３で囲まれた部分全体が体液を吸収すると接触冷感が生じるよう、当該第３区画部６３で囲まれた部分の後端部と重なる位置に、吸収体コア５２の幅方向に沿ってライン状に配置されている。
また、第４下面冷感呈示部７４は、例えば、第４区画部６４で囲まれた部分全体が体液を吸収すると接触冷感が生じるよう、当該第４区画部６４で囲まれた部分の後端部と重なる位置に、吸収体コア５２の幅方向に沿ってライン状に配置されている。
また、第５下面冷感呈示部７５は、例えば、第５区画部６５で囲まれた部分全体が体液を吸収すると接触冷感が生じるよう、当該第５区画部６５で囲まれた部分の後端部と重なる位置に、吸収体コア５２の幅方向に沿ってライン状に配置されている。
【００３１】
下面冷感呈示部７０は、例えば、体液との反応によって吸熱を生じる吸熱剤を含有する所定の流動体を、吸収体コア５２の下面に塗布して乾燥させることにより形成することができる。
吸熱剤としては、例えば、酢酸ナトリウムや炭酸ナトリウムなどの塩水和物、塩化アンモニウムや塩化カリウムなどの無水塩、キシリトール粒子などのポリオール、或いはこれらの組み合わせが挙げられるが、これらに限られるものではない。
【００３２】
ここで、背側部１２に配置された下面冷感呈示部７０は、股下部１３に配置された下面冷感呈示部７０よりも、吸熱剤の含有量が多くなるよう設定されている。
具体的には、例えば、第５下面冷感呈示部７５は、その他の下面冷感呈示部７０（第１下面冷感呈示部７１〜第４下面冷感呈示部７４）よりも、吸熱剤の含有量が多い流動体を塗布することによって形成されている。これにより、第５下面冷感呈示部７５においては、第１下面冷感呈示部７１〜第４下面冷感呈示部７４と比較して、少量の体液に対しても吸熱が生じやすくなるため、吸収性物品１の吸収許容量がオーバーする前に、接触冷感によって吸収性物品１の交換タイミング等を知らせることができる。
【００３３】
クレープ紙５１は、例えば、図６に示すように、吸収体コア５２の幅方向両側縁部から延出する延出部５１１，５１１を備えており、延出部５１１においてクレープ紙５１は折り返されて互いに固着されている。
延出部５１１の上面は、ギャザーシート４０の幅方向外側の部分に固着されているとともに、延出部５１１の下面は、裏面シート３０の幅方向端部に固着されている。すなわち、延出部５１１は、ギャザーシート４０の幅方向外側の部分と裏面シート３０の幅方向端部とに挟まれて、ギャザーシート４０の幅方向外側の部分及び裏面シート３０の幅方向端部とともに、吸収性物品１の幅方向端部を構成している。
【００３４】
延出部５１１には、当該延出部５１１の上面における腹側部１１から背側部１２に亘って、体液との反応によって色変化を生じるインジケータ８０が備えられている。
インジケータ８０は、例えば、体液との反応によって色変化を生じる色素を含有する所定の流動体を、延出部５１１に塗布して乾燥させることによって形成することができる。
色素としては、体液との反応によって視認可能な色変化を生じる色素（蛍光色素も含む）であれば任意である。
ここで、「色の変化」とは、発色（着色）、脱色、色相の変化、明度の変化、彩度の変化、蛍光強度の変化等、或いはこれらの組み合わせであり、かつ、目視にて判定可能な変化である。
【００３５】
吸収体コア５２が体液を吸収すると、当該体液の一部はクレープ紙５１の延出部５１１まで拡散して、インジケータ８０と反応するため、インジケータ８０が色変化を生じた色変化部分Ｒによって、吸収体コア５２における体液を吸収している部分を把握させることができる。
ここで、延出部５１１まで拡散してきた体液が、吸収性物品１の外部から染み出したり漏れ出したりするのを防ぐために、延出部５１１の長さは、延出部５１１がギャザーシート４０や裏面シート３０からはみ出さない長さであることが好ましく、また、ギャザーシート４０の幅方向外側の部分は、不透液性であることが好ましい。
【００３６】
また、ギャザーシート４０の幅方向外側の部分には、吸収性物品１における着用者と接触する側から読み取り可能な目盛り９０（第１目盛り９１〜第５目盛り９５）がインクジェット等で印字されている。
インジケータ８０の色変化部分Ｒは、ギャザーシート４０から透けて見えるようになっており、目盛り９０に対する色変化部分Ｒの位置によって、吸収体５０（吸収体コア５２）により吸収された体液量を呈示できるようになっている。
ここで、視覚的変化によって吸収体５０（吸収体コア５２）により吸収された体液量を呈示する視覚提示部は、インジケータ８０と、目盛り９０と、によって構成される。
【００３７】
具体的には、第１目盛り９１は、例えば、第１区画部６１で囲まれた部分全体が体液を吸収したことを把握させることができるよう、当該第１区画部６１の後端部と重なる位置に、当該第１区画部６１で囲まれた部分の吸収容量（約５０ｃｃ）を示す数値「５０ｃｃ」とともに印字されている。
また、第２目盛り９２は、例えば、第２区画部６２で囲まれた部分全体が体液を吸収したことを把握させることができるよう、当該第２区画部６２の後端部と重なる位置に、当該第２区画部６２で囲まれた部分の吸収容量（約１００ｃｃ）を示す数値「１００ｃｃ」とともに印字されている。
また、第３目盛り９３は、例えば、第３区画部６３で囲まれた部分全体が体液を吸収したことを把握させることができるよう、当該第３区画部６３の後端部と重なる位置に、当該第３区画部６３で囲まれた部分の吸収容量（約２００ｃｃ）を示す数値「２００ｃｃ」とともに印字されている。
また、第４目盛り９４は、例えば、第４区画部６４で囲まれた部分全体が体液を吸収したことを把握させることができるよう、当該第４区画部６４の後端部と重なる位置に、当該第４区画部６４で囲まれた部分の吸収容量（約３００ｃｃ）を示す数値「３００ｃｃ」とともに印字されている。
また、第５目盛り９５は、例えば、第５区画部６５で囲まれた部分全体が体液を吸収したことを把握させることができるよう、当該第５区画部６５の後端部と重なる位置に、当該第５区画部６５で囲まれた部分の吸収容量（約４００ｃｃ）を示す数値「４００ｃｃ」とともに印字されている。
したがって、例えば、図７においては、インジケータ８０の色変化部分Ｒの下端が第１目盛り９１と一致しているため、第１区画部６１で囲まれた部分全体が体液を吸収していることを把握させることができる。
【００３８】
以上説明した本実施形態の吸収性物品１によれば、透液性の表面シート２０と、裏面シート３０と、表面シート２０と裏面シート３０との間に介装される吸収体５０と、を備え、装着時に、着用者の腹側に位置する腹側部１１と、背側に位置する背側部１２と、腹側部１１と背側部１２との間に位置する股下部１３と、を備えている。さらに、吸収体５０（吸収体コア５２）にエンボス加工を施すことによって形成され、吸収体５０（吸収体コア５２）における所定量の体液が吸収されるエリアを区画する複数の区画部６０と、区画部６０に対応付けて設けられ、吸収体５０により吸収された体液量を呈示するための呈示部（視覚的変化によって吸収体５０により吸収された体液量を呈示する視覚提示部及び接触冷感を生じることによって吸収体５０により吸収された体液量を呈示する下面冷感呈示部７０）と、を備えている。
すなわち、吸収体５０（吸収体コア５２）にエンボス加工を施すことにより形成された区画部６０に対応付けて設けられた呈示部によって、吸収体５０により吸収された体液量を呈示できるため、吸収体５０により吸収された体液量を正確に把握させることができる。
【００３９】
したがって、ユーザ（着用者や着用者を世話する者）は、吸収性物品１の交換タイミングとして、適切なタイミングを知ることができる。
また、ユーザは、吸収体５０により吸収された体液量を正確に把握することで、着用者の健康状態を把握しやすくなる。
また、従来、ユーザは、体液等の吸収性物品外部への染み出し、漏れ出しに対する不安を取り除くために、吸収許容量の多い吸収性物品を選択することが多いが、吸収性物品１によって吸収体５０により吸収された体液量を正確に把握させることで、吸収性物品を選択する際の目安を与えることができるため、無駄に吸収許容量の多い吸収性物品を選択することを抑制することができる。
【００４０】
また、吸収性物品１は、呈示部として下面冷感呈示部７０を備えているため、ユーザは、吸収性物品１を装着した状態で、暗闇の中でも、吸収された体液量を把握することができる。
また、吸収性物品１は、下面冷感呈示部７０により吸収された体液の温度を下げることができるため、臭いや雑菌などの発生を抑えることができるとともに、吸収性物品１を廃棄した際に虫等の発生も抑えることができる。
【００４１】
また、以上説明した本実施形態の吸収性物品１によれば、区画部６０は、所定の排泄位置に排泄された体液が吸収体５０（吸収体コア５２）中で拡散する際の拡散傾向に基づいて配置されている。
したがって、区画部６０によって、吸収体５０（吸収体コア５２）における所定のエリアに所定量の体液が吸収されるよう、より確実に制限することができるため、吸収体５０により吸収された体液量を正確に把握させることができる。
【００４２】
また、以上説明した本実施形態の吸収性物品１によれば、視覚呈示部は、吸収性物品１における着用者と接触する側から読み取り可能な目盛り９０と、吸収体５０に設けられ、体液との反応によって色変化を生じるインジケータ８０と、を備えている。
したがって、目盛り９０に対するインジケータ８０の色変化部分Ｒの位置によって、吸収体５０（吸収体コア５２）により吸収された体液量を呈示できるため、吸収体５０により吸収された体液量を正確に把握させることができる。
【００４３】
また、以上説明した本実施形態の吸収性物品１によれば、吸収体５０は、吸収体コア５２と、吸収体コア５２を包装する吸水性のクレープ紙５１と、を備え、クレープ紙５１は、吸収体コア５２の幅方向両側縁部から延出して、吸収性物品１の幅方向両端部を構成する延出部５１１，５１１を備え、区画部６０は、吸収体コア５２に設けられ、目盛り９０は、吸収性物品１の幅方向両端部に設けられ、インジケータ８０は、延出部５１１に備えられている。
したがって、目盛り９０は着用者と接触する側のみから読み取り可能であるが、視覚呈示部が吸収性物品１の幅方向端部に備えられているため、吸収性物品１を装着した状態であっても、当該端部をめくれば視覚呈示部を視認することができる。
【００４４】
また、以上説明した本実施形態の吸収性物品１によれば、下面冷感呈示部７０は、体液との反応によって吸熱を生じる吸熱剤を含有し、吸収体５０の裏面シート３０側の面に股下部１３から背側部１２に亘って所定の間隔で配置されている。
冷感呈示部が、股下部１３から背側部１２に亘り長手方向に沿って連続的に設けられている場合、所定の排泄位置に排泄された体液は吸収体中を拡散するため、冷感呈示部において冷たくなっている部分と冷たくなっていない部分とに境界が生じにくく、冷たくなっている部分が把握しにくい。一方、吸収性物品１では、下面冷感呈示部７０は、股下部１３から背側部１２に亘り長手方向に沿って断続的に設けられているため、各下面冷感呈示部７０の温度を比較することができ、冷たくなっている下面冷感呈示部７０を把握しやすい。したがって、吸収体５０により吸収された体液量を正確に把握させることができる。
【００４５】
また、以上説明した本実施形態の吸収性物品１によれば、背側部１２に配置された下面冷感呈示部７０は、股下部１３に配置された下面冷感呈示部７０よりも、吸熱剤の含有量が多い。
すなわち、背側部１２に配置された下面冷感呈示部７０は、少量の体液に対しても吸熱が生じやすいため、吸収性物品１の吸収許容量がオーバーする前に、接触冷感によって吸収性物品１の交換タイミング等を知らせることができる。したがって、吸収性物品１により吸収された体液量が、吸収性物品１の吸収許容量をオーバーしてしまうのを抑制できる。
【００４６】
なお、本発明は、上記した実施の形態のものに限るものではなく、その要旨を逸脱しない範囲で適宜変更可能である。
【００４７】
＜変形例１＞
上記実施形態において、区画部６０は、吸収体５０（吸収体コア５２）における所定量の体液が吸収されるエリアを区画できるのであれば、吸収体５０（吸収体コア５２）の下部にエンボス加工を施すことによって形成されたものであっても良いし、例えば、図８に示す区画部６０Ａ（第１区画部６１Ａ〜第５区画部６５Ａ）のように、吸収体５０（吸収体コア５２）の上部及び下部にエンボス加工を施すことによって形成されたものであっても良い。
また、区画部６０は、例えば、図９に示す区画部６０Ｂ（第１区画部６１Ｂ〜第５区画部６５Ｂ）のように、吸収体５０（吸収体コア５２）の上部にデボス加工を施すことによって形成されたものであっても良い。なお、デボス加工を施す位置は、吸収体５０（吸収体コア５２）の上部に限ることはなく、吸収体５０（吸収体コア５２）の下部であっても良いし、吸収体５０（吸収体コア５２）の上部及び下部であっても良い。
また、区画部６０は、吸収体５０（吸収体コア５２）にエンボス加工及びデボス加工を施すことによって形成されたものであっても良い。
【００４８】
＜変形例２＞
上記実施形態において、区画部６０は、吸収体５０（吸収体コア５２）における所定量の体液が吸収されるエリアを区画できるのであれば、区画部６０の個数、形状、サイズ等は任意である。
すなわち、例えば、区画部６０で囲まれた部分の形状は、略楕円形状に限ることはなく、略多角形状であっても良いし、吸収体コア５２の形状と略相似する形状であっても良い。また、一の吸収体コア５２が備える複数の区画部６０の形状は、同一であっても良いし、異なっていても良い。
具体的には、区画部６０は、例えば、図１０に示す区画部６０Ｃのように、格子状に配置されたものであっても良い。この場合、下面冷感呈示部７０や目盛り９０は、区画部６０Ｃに対応付けて、所定の位置（例えば、所定の排泄位置に排泄された体液が吸収体５０（吸収体コア５２）中で拡散する際の拡散傾向に基づく位置）に配置されていれば良い。
なお、変形例２の内容は、変形例１と組み合わせても良い。
【００４９】
＜変形例３＞
上記実施形態において、吸収体５０は、例えば、図１１に示すように、冷感呈示部として、下面冷感呈示部７０に加えて（或いは、代えて）、吸収体５０の表面シート２０側の面（上面）における背側部１２に設けられた上面冷感呈示部１００Ｄを備えていても良い。
これにより、着用者は、吸収性物品１を装着しながらにして、吸収性物品１の下面に触らなくても、暗闇の中でも、吸収性物品１の吸収許容量がオーバーする前に、吸収性物品１の交換タイミング等を知ることができる。
なお、変形例３の内容は、変形例１及び／又は変形例２と組み合わせても良い。
【００５０】
なお、上記実施形態及び変形例１〜３において、吸収体コア５２は、多層構造であっても良い。
また、裏面シート３０は、透水性であっても良い。
また、吸収体コア５２を包装する包装シートは、クレープ紙５１に限ることはなく、吸水性があるのであれば、例えば、透液性の不織布や孔開きシートなどであっても良い。
【００５１】
上記実施形態及び変形例１〜３において、吸収性物品１は、下面に当該吸収性物品１を外装体に固定するための固定部材を備えていても良い。
また、吸収性物品１は、外装体に着脱・交換自在に取り付けられて使用される吸収パッドに限ることはなく、吸収性物品であれば任意であり、例えば、パンツ型の使い捨ておむつであっても良いし、背側部に設けられた止着部と、腹側部に設けられ、当該止着部を係止させるための被着部と、を備え、装着時に、腹側部の端部と、背側部の端部と、が着用者の胴周りに位置する胴回り部を形成するタイプの使い捨ておむつであっても良い。
【００５２】
上記実施形態及び変形例１〜３において、吸収性物品１は、装着時に着用者との接触面と反対側の外部側に不織布等からなるバックシートが備えられていても良い。これにより、裏面シート３０の傷付きを防止することができる。また、クロスライクさが得られるため、見た目にムレ難さを与えることができるとともに、着用者の肌への負担を軽減させることができる。
バックシートとしては、例えば、ケミカルボンド不織布、サーマルボンド不織布、スパンレース不織布、スパンボンド不織布、メルトブローン不織布、メルトブローン不織布、ヒートロール不織布、エアスルー不織布、不透液性不織布、或いはこれらの組み合わせからなるシートが挙げられるが、これらに限られるものではない。
【００５３】
上記実施形態及び変形例１〜３において、背側部１２に配置された下面冷感呈示部７０が、股下部１３に配置された下面冷感呈示部７０よりも、吸熱剤の含有量が多くなるよう設定されているのであれば、第５下面冷感呈示部７５が、その他の下面冷感呈示部７０（第１下面冷感呈示部７１〜第４下面冷感呈示部７４）よりも吸熱剤の含有量が多くなるよう設定されているものに限ることはなく、例えば、第１下面冷感呈示部７１の吸熱剤含有量が最も少なく、第２下面冷感呈示部７２は第１下面冷感呈示部７１よりも吸熱剤の含有量が多く、第３下面冷感呈示部７３は第２下面冷感呈示部７２よりも吸熱剤の含有量が多く、第４下面冷感呈示部７４は第３下面冷感呈示部７３よりも吸熱剤の含有量が多く、第５下面冷感呈示部７５は第４下面冷感呈示部７４よりも吸熱剤の含有量が多くなるよう設定されていても良い。
【００５４】
上記実施形態及び変形例１〜３において、下面冷感呈示部７０の配置位置は、対応する一の区画部６０，６０Ａ，６０Ｂで囲まれた部分の後端部と重なる位置に限ることはなく、対応する一の区画部６０，６０Ａ，６０Ｂで囲まれた部分が体液を吸収すると接触冷感が生じるのであれば任意である。
また、下面冷感呈示部７０の形状は、吸収体コア５２の幅方向に沿ったライン状に限ることはなく、股下部１３から背側部１２に亘って、区画部６０，６０Ａ，６０Ｂと対応付けて所定の間隔で配置されているのであれば任意である。
また、下面冷感呈示部７０の個数は、区画部６０，６０Ａ，６０Ｂの個数に応じて適宜任意に変更可能である。
また、上記変形例３において、上面冷感呈示部１００Ｄの形状は、吸収体コア５２の幅方向に沿ったライン状に限ることはなく任意である。また、上面冷感呈示部１００Ｄは、背側部１２に設けられているのであれば、その個数は任意である。
【００５５】
上記実施形態及び変形例１〜３において、目盛り９０は、読み取り可能であれば、ギャザーシート４０や裏面シート３０の側端を切り欠くことによって形成されていても良いし、ギャザーシート４０や裏面シート３０に他の部材を貼り付ける等して形成されていても良いし、ギャザーシート４０や裏面シート３０にエンボス加工及び／又はデボス加工で形成されていても良い。
また、視覚呈示部（インジケータ８０及び目盛り９０）は、視覚的変化によって吸収体５０により吸収された体液量を呈示することができるものであれば、吸収性物品１における着用者と接触する側から認識可能なものに限ることはなく、吸収性物品１における着用者と接触する側の反対側から認識可能であっても良いし、吸収性物品１における着用者と接触する側及び着用者と接触する側の反対側から認識可能であっても良い。
また、視覚呈示部（インジケータ８０及び目盛り９０）は、視覚的変化によって吸収体５０により吸収された体液量を呈示することができるものであれば、視覚呈示部の配置位置は、吸収性物品１の幅方向両端部に限ることはなく、任意である。
【００５６】
また、その他、具体的な細部構造等についても適宜に変更可能であることは勿論である。
【符号の説明】
【００５７】
１  吸収性物品
１１  腹側部
１２  背側部
１３  股下部
２０  表面シート
３０  裏面シート
４０  ギャザーシート
５０  吸収体
５１  クレープ紙（包装シート）
５２  吸収体コア
６０，６０Ａ，６０Ｂ，６０Ｃ  区画部
７０  下面冷感呈示部（冷感呈示部（呈示部））
８０  インジケータ（視覚呈示部（呈示部））
９０  目盛り（視覚呈示部（呈示部））
１００Ｄ  上面冷感呈示部（冷感呈示部（呈示部））
５１１  延出部
【図１】
0005563253.tif 000002
【図２】
0005563253.tif 000003
【図３】
0005563253.tif 000004
【図４】
0005563253.tif 000005
【図５】
0005563253.tif 000006
【図６】
0005563253.tif 000007
【図７】
0005563253.tif 000008
【図８】
0005563253.tif 000009
【図９】
0005563253.tif 000010
【図１０】
0005563253.tif 000011
【図１１】
0005563253.tif 000012